(57)【要約】      （修正有）【課題】内部への他人の侵入を防止して盗難や悪戯などを防止できるのと同時に、必要に応じて光や風を自由に通すことが可能であって、安全性と通気性や採光性とを兼ね備えるとともに、デザイン性にも優れたシャッタ装置を提供する。【解決手段】シャッタ本体３０を立て付ける横枠体２０には、上部構造部に固定される上部枠２０Ａと、下部構造部Ｒに固定される下部枠２０Ｂとを備え、上部枠２０Ａ及び下部枠２０Ｂにはそれぞれガイドレールを設けるとともに、シャッタ本体３０側の開閉部を構成する複数の板材の上端部及下端部にはガイドレールに係合する回転部材を設け、開閉部の両端部側に設けた框部材５０には、構造部の間口の左右両端部に固着させた縦枠体７０との間に止め金具８０を設け、シャッタ本体３０の開閉部は、横幅の広い中空板材が複数連結された構成の主開閉部３１Ｍを１体と、この主開閉部３１Ｍの中空板材よりも幅が狭い中空板材が複数連結された構成の副開閉部３１Ｓを２体備えている。【選択図】図２
0003156357.tif 000002
【実用新案登録請求の範囲】
【請求項１】
上部構造部及び下部構造部の間で、かつ、設置すべき間口幅内における左右両端に縦枠体を固設し、
開閉自在及び折畳自在の開閉部とこの開閉部の両端に取付けた框部材とを有するシャッタ本体を、前記間口内の前記左右の縦枠体間に設置し、
前記上部構造部及び下部構造部の前記各シャッタ本体を連設して立て付ける横枠体に、前記上部構造部に固定される上部枠と、前記下部構造部に固定される下部枠とを備え、
前記上部枠及び下部枠にはそれぞれガイドレールを設けるとともに、前記各シャッタ本体側の前記開閉部を構成する複数の板材の上端部及下端部には前記ガイドレールに係合する回転部材を設け、
前記開閉部の両端部側に設けた框部材には、前記縦枠体との間に止め金具を設け、
前記開閉部は、横幅の中空板材が複数連結された主開閉部と、この主開閉部の中空板材よりも幅が狭い中空板材が複数連結された副開閉部と、をそれぞれ少なくとも１体ずつ備えている、
ことを特徴とするシャッタ装置。
【請求項２】
前記シャッタ本体の上部回転部材は、支持材に水平軸を介して回転可能に取り付けられたローラから構成され、
前記複数の板材に対して前記ローラが交互に相反位置となるように前記支持材を板材にそれぞれ取り付け、
前記上部枠のガイドレールは、前記支持材を摺動させるスリットを挟んで平行に２列設けられ、
この２列のガイドレールに対して前記ローラが交互に２列に係合してそれぞれ移動するように構成されている、ことを特徴とする請求項１に記載のシャッタ装置。
【請求項３】
前記シャッタ本体の主開閉部の両側又は左右いずれか一方側に一体に連結された前記副開閉部を、折畳んだ状態で保持するための仮止め具を備えた、
ことを特徴とする請求項１又は２に記載のシャッタ装置。
【考案の詳細な説明】
【技術分野】
【０００１】
本考案は、ガレージなどへ他人が侵入するのを防止して駐車してある車などの盗難や悪戯などを防止したり、店舗の出入口や、住宅の玄関或いは窓などからの他人の侵入を防止することができるのと同時に、必要に応じて光や風を自由に通すことによってガレージ内部、店舗出入口、住宅の玄関或いは室内などを衛生的に保つことが可能で、しかも良好な外観を確保できるシャッタ装置に関するものである。
【背景技術】
【０００２】
商店の入口やガレージの入口など、主として建物の屋外に面する開口に設けられて使用するシャッタとして、開閉操作が軽く静粛で、大きな開口面積を取ることができ、かつ構造が簡単で屋外使用に耐える充分な強度と耐久性と良好な外観とを備えた、引出し式の横開きシャッタが提案されている（例えば、特許文献１参照）。
【０００３】
即ち、図１５に示すように、この横開きシャッタ１００は、縦方向に細長い単位パネル１０１の複数枚が左右に並べて連結されているとともに、各単位パネル１０１の上端に懸吊車輪１０２とパネル１０１の面方向を案内する側車輪１０３とが設けられ、かつ、この懸吊車輪１０２と側車輪１０３とを案内するレール１０４を備えている。また、この横開きシャッタ１００では、側車輪１０３が鉛直方向の支持軸１０５のまわりに回転ないし揺動自在であり、隣接する単位パネル１０１相互はこの支持軸１０５と同一の軸まわりに屈折可能に連結されており、かつ、連接する辺の一方１０６は、屈折中心となる軸を中心とする略半円弧の凸断面であることを特徴とするものである。
【０００４】
特にこの横開きシャッタ１００にあっては、閉鎖時はもちろん開閉時にもパネル１０１の連結部に隙間が生ずることがなく、パネル１０１の連結部に気密性を持たせることが可能で、閉鎖時にシャッタ表面を凹凸のない面とすることができ、かつ各パネル１０１の懸吊部分や連接部分の構造を単純化できるものである。
【先行技術文献】
【特許文献】
【０００５】
【特許文献１】特開平８−２８４５５７号公報
【考案の概要】
【考案が解決しようとする課題】
【０００６】
ところで、このような横開きシャッタでは、例えば車の出入りを行うガレージなどでの使用の場合、通常、完全に閉鎖するか開放するかのいずれかの状態で使用するのが一般的である。特に、高価な車などを納めるガレージで使用する場合には、盗難や悪戯などを防止するため、車が出入りするとき以外はシャッタを完全に閉じておくことが一般的である。
【０００７】
従って、このような横開きシャッタでは、普段閉鎖されているガレージなどでは風の抜けが悪いので環境的に良好であるとは言えないばかりか、締め切ってあると昼でも薄暗いので照明などが必要になる場合もある。また、完全に閉めきっていると、ガレージ内でのアイドリングの際に排気ガスが充満し、非常に危険でもある。
【０００８】
しかも、このような横開きシャッタにあっては、閉じた状態で風や光を通す機能を兼ね備えておらず、換気やカビ対策などのためには決して都合のよいものではなかった。
【０００９】
そこで、本考案は、上記した事情に鑑み、ガレージ、店舗、或いは住宅などの内部への他人の侵入を防止して盗難や強盗などの犯罪の発生を未然に防止できるのと同時に、必要に応じて光や風を自由に通すことが可能であって、安全性と通気性や採光性とを兼ね備えるとともに、デザイン性にも優れた、シャッタ装置を提供することである。
【課題を解決するための手段】
【００１０】
上記目的を達成するために、本考案のシャッタ装置は、
（１）  上部構造部及び下部構造部の間で、かつ、設置すべき間口幅内における左右両端に縦枠体を固設し、
開閉自在及び折畳自在の開閉部とこの開閉部の両端に取付けた框部材とを有するシャッタ本体を、前記間口内の前記左右の縦枠体間に設置し、
前記上部構造部及び下部構造部の前記各シャッタ本体を連設して立て付ける横枠体に、前記上部構造部に固定される上部枠と、前記下部構造部に固定される下部枠とを備え、
前記上部枠及び下部枠にはそれぞれガイドレールを設けるとともに、前記各シャッタ本体側の前記開閉部を構成する複数の板材(スラット)の上端部及下端部には前記ガイドレールに係合する回転部材を設け、
前記開閉部の両端部側に設けた框部材には、前記縦枠体との間に止め金具（鎌錠）を設け、
前記開閉部は、横幅の中空板材が複数連結された主開閉部と、この主開閉部の中空板材よりも幅が狭い中空板材が複数連結された副開閉部と、をそれぞれ少なくとも１体ずつ備えている、ことを特徴とする。
この構成によれば、ガレージ、店舗、或いは住宅などの内部への侵入を防止して盗難や強盗などの犯罪の発生を未然に防止できるのと同時に、必要に応じて光や風を自由に通すことが可能であり、安全性と通気性や採光性とを兼ね備えることができる。また、簡易な構造であるので、デザイン性にも優れたシャッタ装置が提供可能となる。
【００１１】
（２）、前記（１）のシャッタ装置において、
前記シャッタ本体の上部回転部材は、支持材に水平軸を介して回転可能に取り付けられたローラから構成され、
前記複数の板材に対して前記ローラが交互に相反位置となるように前記支持材を板材にそれぞれ取り付け、
前記上部枠のガイドレールは、前記支持材を摺動させるスリットを挟んで平行に２列設けられ、
この２列のガイドレールに対して前記ローラが交互に２列に係合してそれぞれ移動するように構成されている、ことを特徴とする。
この構成によれば、簡単な構造のもので、シャッタ本体のスライド構造が実現できる
【００１２】
（３）、また、前記（１）または（２）のシャッタ装置において、
前記シャッタ本体の主開閉部の両側又は左右いずれか一方側に一体に連結された前記副開閉部を、折畳んだ状態で保持するための仮止め具を備えた、ことを特徴とする。
この構成によれば、主開閉部はガレージなどの左右両端部の構造部側に止め具で固定させた状態のまま、副開閉部をコンパクトに折畳んで最短長さに保持しておくことで、シャッタ本体は閉じた状態のまま、所要の隙間を設けてそこから光と風を通過させることができる。
【考案の効果】
【００１３】
本考案のシャッタ装置は、上部構造部及び下部構造部の間で、かつ、設置すべき間口幅内における左右両端に縦枠体を固設し、開閉自在及び折畳自在の開閉部とこの開閉部の両端に取付けた框部材とを有するシャッタ本体を、間口内の左右の縦枠体間に設置し、上部構造部及び下部構造部の各シャッタ本体を連設して立て付ける横枠体に、上部構造部に固定される上部枠と、下部構造部に固定される下部枠とを備え、上部枠及び下部枠にはそれぞれガイドレールを設けるとともに、各シャッタ本体側の開閉部を構成する複数の板材(スラット)の上端部及下端部にはガイドレールに係合する回転部材を設け、開閉部の両端部側に設けた框部材には、縦枠体との間に止め金具（鎌錠）を設け、開閉部は、横幅の中空板材が複数連結された主開閉部と、この主開閉部の中空板材よりも幅が狭い中空板材が複数連結された副開閉部と、をそれぞれ少なくとも１体ずつ備えている。
従って、本考案のシャッタ装置は、ガレージ、店舗、或いは住宅などの内部への侵入を阻止して盗難や強盗などの犯罪の発生を未然に防止できるのと同時に、必要に応じて光や風を自由に通すことが可能で、安全性も高まるという利点がある。
【００１４】
また、本考案のシャッタ装置は、簡易な構造であるので、デザイン性にも優れたものが提供可能となる。
【図面の簡単な説明】
【００１５】
【図１】本考案のシャッタ装置を示す縦断面図である。
【図２】（Ａ）はそのシャッタ装置を示す正面図、（Ｂ）はそのシャッタ装置に一部隙間を設けた状態を示す横断面図である。
【図３】本考案のシャッタ装置の横枠体を示すものであり、（Ａ）はその上部枠、（Ｂ）は下部枠を示す断面図である。
【図４】本考案のシャッタ装置の開閉部を示す平面図である。
【図５】本考案のシャッタ装置のシャッタ本体を示す断面図である。
【図６】（Ａ）は本考案のシャッタ装置の長連結部を示す平面図及び側面図、（Ｂ）は本考案のシャッタ装置の短連結部を示す平面図および側面図である。
【図７】本考案のシャッタ装置の主開閉部の構造を示すものであり、（Ａ）は開いた状態、（Ｂ）は閉じた状態を示す説明図である。
【図８】本考案のシャッタ装置の副開閉部の構造を示すものであり、（Ａ）は開いた状態、（Ｂ）は閉じた状態を示す説明図である。
【図９】本考案のシャッタ装置の連結杆の取り付け状態を示す説明図である。
【図１０】本考案のシャッタ装置の上部回転部材及び下部回転部材の取り付け状態を示す要部縦断面図である。
【図１１】（Ａ）及び（Ｂ）は本考案のシャッタ装置の開閉部を最短長さに折り畳んだ状態を示す正面斜視図及び横断面図である。
【図１２】（Ａ）及び（Ｂ）は本考案のシャッタ装置の開閉部を左に寄せた状態及び右に寄せた状態を示す断面図である。
【図１３】本考案のシャッタ装置の止め具及び仮止め具を示す斜視図である。
【図１４】本考案のシャッタ装置の他の設置態様を示す縦断面図である。
【図１５】従来の横開きシャッタを示す説明図であって、（Ａ）及び（Ｂ）はそれぞれ水平レール及び傾斜レールでの設置態様を示すものである。
【考案を実施するための最良の形態】
【００１６】
以下、本考案について、添付図面を参照しながら詳細に説明する。
図１及び図２は、本考案に係るシャッタ装置の一実施形態を示すものであり、この実施形態のシャッタ装置１０は、建物Ｈ内などに設けたガレージＰの出入口（開口部に相当する）の上下に位置する、（下部構造部を構成する）コンクリートの路面Ｒと（上部構造部を構成する）建物Ｈの一部との間に渡して設置されており、後述のガイドレールを内設した横枠体２０と、主開閉部３１Ｍ及び副開閉部３１Ｓとを備えた開閉部を有する１組のシャッタ本体３０（図３参照）と、回転部材４０（図３参照）と、框部材５０（図４参照）と、連結補助枠６０（図４参照）と、縦枠体７０と、止め金具（鎌錠）８０と、仮止め具（フック）９０と、を備えている。
【００１７】
横枠体２０は、上部構造部である建物Ｈの一部と下部構造部であるコンクリートの路面Ｒとの間に各シャッタ本体３０を連設して立て付けるものであり、上部枠２０Ａと、下部枠２０Ｂと、を備えており、いずれもアルミニウム材で押し出し成形によって形成されている。
【００１８】
このうち、上部枠２０Ａは、図３（Ａ）に示すような断面形状を有するとともに、下向きに開口するスリット２２Ａを設けたガイド室２１Ａを有しており、上部構造部である建物Ｈの庇（または軒下）などに取り付けられている。また、このガイド室２１Ａのスリット２２Ａを挟んだ両側の内面（床面）には、並設された２列のガイドレール２３Ａが断面略凹溝形に設けられている。又、ガイド室２１Ａには、内部の天井面に、複数のねじ孔２４Ａが長さ方向(横方向)に沿ってそれぞれ所定の間隔を保持して設けられている。
【００１９】
下部枠２０Ｂは、図３（Ｂ）に示すような断面形状を有するとともに、上向きに開口するスリット２２Ｂを設けたガイド室２１Ｂを有しており、下部構造部であるコンクリートの路面Ｒに取り付けられている。このガイド室２１Ｂのスリット２２Ｂを挟んだ両側の内面（天井面）には、並設された２列のガイドレール２３Ｂが断面略凹溝形に設けられている。又、ガイド室２１Ｂには、内面（内部の床面）に、複数のねじ孔２４Ｂが長さ方向(横方向)に沿ってそれぞれ所定の間隔をあけて設けられている。この下部枠２０Ｂは上部枠２０Ａと上下対称の形状であるため兼用することが可能である。これにより、上部枠２０Ａと下部枠２０Ｂとは別個に製作する必要がないため、コストの低減を図ることができる。
【００２０】
シャッタ本体３０は、図４に示すように、横枠体２０内にスライド可能に立て付けるようになっており、本実施形態では、主開閉部３１Ｍ及び副開閉部３１Ｓからなる開閉部３１と、主開閉部３１Ｍと副開閉部３１Ｓの間及び副開閉部３１Ｓの両端側に設けた框部材５０と、主開閉部３１Ｍと一方の副開閉部３０Ｓとの間に設けた補助連結枠６０とを備えている。
【００２１】
このうち、開閉部３１の主開閉部３１Ｍは、図５に示す複数の板材（スラット）３３と、これらの板材３３を開閉自在に連結する連結部材である、図６に示す複数の連結杆３４とから構成されている。
【００２２】
板材３３は、金属板材、樹脂板材、パンチングメタル板材、木板材等、その材質は特に限定されない。本実施形態の板材３３は、アルミニウム材で押し出し成形により一体に形成されており、内部には複数のリブ３３Ａで仕切られた空間部３３Ｂを有し、両端部付近とほぼ中央部には断面略Ｃ字形のビス受け部３３Ｃが設けられ、一方の端部には断面略Ｃ字形のガスケット取付部３３Ｄが設けられている。ビス受け部３３Ｃにはねじ溝が設けられていないが、ビスをねじ込むことで内面にねじ溝が切られてビスを固定する、所謂、木ねじのような構造のものなどを用いるようにしてもよい。
【００２３】
板材３３の表面要所には、微細な凹凸部（例えば、梨地加工や、エンボス加工など）が設けられている。即ち、リブ３３Ａに対応する一方の表面に微細な凸部３３Ｅが長手方向に沿ってそれぞれ設けられ、リブ３３Ａに対応する他方の表面には複数の微細な凹部３３Ｆが長手方向に沿ってそれぞれ設けられている。
【００２４】
微細な凸部３３Ｅは、主開閉部３１Ｍが図４のように折畳まれた時に、隣接する板材３３の表面同士が接触する面積を大幅に減少させて板材３３の表面にすり傷が付かないように配慮したものである。複数の微細な凹部３３Ｆは，折り畳まれた時の凸部３３Ｅの衝撃力を緩和して、凸部３３Ｅによる凹み傷が極力生じないようにする。
【００２５】
また、微細な凸部３３Ｅ及び凹部３３Ｆは、縦縞模様としてデザイン要素の機能も発揮するが、単にデザイン上のためだけではなく板材表面の傷や色むらをぼかす役割を果たすものである。このため、微細な凹部３３Ｆはリブ３３Ａに対応する部分のみならず、ほぼ中央のビス受け部３３Ｃに対応する部分及び端部のビス受け部３３Ｃや、ガスケット取付部３３Ｄの周辺部にも設けるようにすると好ましい。
【００２６】
連結杆３４は、図７(Ａ）に示すようにアルミニウム材等の金属板で所定の幅及び長さを有する平板状に形成され、両端部付近と中央部にビス挿通孔３４１が設けられた長連結杆３４Ａと、アルミニウム材等の金属板で所定の幅及び長さを有する平板状に形成され、両端部付近にビス挿通孔３４１が設けられた短連結杆３４Ｂとから構成されている。この短連結杆３４Ｂの幅は長連結杆３４Ａと同じであるが、長さは長連結杆３４Ａのほぼ１／２になっており、最外部側の板材３３とそれより一つ内側の板材３３との間の連結用として設置している。
【００２７】
開閉部３１を形成するには、図７、図８のように、複数の板材３３を複数の連結杆３４を用いて組み付ける。この連結杆３４は、上述したように、長連結杆３４Ａ及び短連結杆３４Ｂで構成される。そのうち、長連結杆３４Ａは、図６及び図７に示すように、その中央部のビス挿通孔３４１にビス３５を挿通し、このビス３５を板材３３の中央部のビス受け部３３Ｃ（図９参照）にねじ込む。この時、図９に示すように、ビス挿通孔３４１より若干小さい外径を有すると共に、長連結杆３４Ａの板厚より若干大きな高さを有するスリーブ３５Ａを介在させてビス３５をビス受け部３３Ｃに締め付け固定する。これにより、長連結杆３４Ａは、板材３３に対して堅固に固定されずに、スリーブ３５Ａを介して長連結杆３４Ａと板材３３とが相互に回動可能に取り付けられる。
【００２８】
そして、長連結杆３４Ａの上端部（図７、図８で、長連結杆３４Ａの右側の端部）は、その上端部のビス挿通孔３４１（図６参照）にビス３５を挿通し、このビス３５を図７、図８でその右側に隣接する板材３３の上端部（図７、図８で、板材３３の左側の端部）のビス受け部３３Ｃ（図５参照）にスリーブ３５Ａを介してねじ込む（詳細については、図９参照）。他方、長連結杆３４Ａの下端部（図７、図８で、長連結杆３４Ａの左側の端部）は、図７、図８で左側に隣接する板材３３の下端部（図７、図８で、板材３３の右側の端部）にビス３５で取り付けられるが、この取り付けに際しては、図１０（Ａ）に示すように上部回転部材４０Ａの取り付けを兼ねる。尚、開閉部３１における板材３３の枚数は限定されず、ガレージ出入口（開口部）の大きさ（間口）によって適宜決定される。
【００２９】
なお、図４に示すように、開閉部３１を構成する主開閉部３１Ｍと一方側（図４では右側）の副開閉部３１Ｓとの間には、補助連結枠６０を介して中間框３６Ａ、左右両側の副開閉部３１Ｓと縦枠体６０との間には端部框５２がそれぞれ設置されており、これらについては後述する。また、中間框５１と縦枠体７０との間に後述の止め金具（鎌錠）８０を設けており、必要に応じて一体に固定して連結させておくことができるようになっている。
【００３０】
一方、開閉部３１の副開閉部３１Ｓについても、基本的な構成は主開閉部３１Ｍと同様であり、図８に示すように、複数の板材３６と、これらの板材３６を開閉自在に連結する連結部材である複数の連結杆３７とから構成されている。
そして、板材３６は、図示を省略したがアルミニウム材で押し出し成形により一体に形成され、内部にリブで仕切られた空間部を有し、両端部付近とほぼ中央部には断面略Ｃ字形のビス受け部（例えば、主開閉部３１Ｍを参照）が設けられている。
【００３１】
また、連結杆３７も基本的な構成は連結杆３４とほぼ同様であり、アルミニウム材等の金属板で所定の幅及び長さを有する平板状に形成され、両端部付近と中央部にビス挿通孔が設けられた長連結杆３７Ａと、アルミニウム材等の金属板で、所定の幅及び長さを有する平板状に形成され、両端部付近ビス挿通孔が設けられた短連結杆３７Ｂとから構成されている。この短連結杆３７Ｂの幅は長連結杆３７Ａと同じであるが、長さは長連結杆３７Ａのほぼ１／２程度になっている。又、副開閉部３１Ｓの板材３６の板厚は主開閉部３１Ｍの板材３３とほぼ同じであるが、板幅はほぼ１／３程度になっている。
【００３２】
次に、副開閉部３１Ｓを形成するには、図７又は図８に示すように、複数の板材３６を複数の連結杆３７を用いて組み付けるが、基本的には主開閉部３１Ｍの組み付け方法と同様であるので、詳細な説明は省略する。なお、主開閉部３１Ｍの組み付けと大きく異なるのは、上部回転部材を板材３６の中央部に取り付けることである。副開閉部３１Ｓにおける板材３６の枚数は限定されず、ガレージ出入口（開口部）の大きさ（間口）が大きい場合には採光・通風量を十分確保するために板材３６の枚数を増やし、ガレージ出入口（開口部）の大きさ（間口）が小さい場合には板材３６の枚数を減らす等の設計変更が可能である。又、主開閉部３１Ｍにおける板材３３の枚数との関係で、採光・通風量にバランスがとれるように副開閉部３１Sの板材３６の枚数を設定すると好ましい。
【００３３】
このようにして、主開閉部３１Ｍ及び副開閉部３１Ｓの上端にそれぞれ連結部材である連結杆３４及び連結杆３７がそれぞれ取り付けられ、かつ、上部回転部材４０Ａが一直線状に並ぶようにそれぞれ取り付けられるが、主開閉部３１Ｍ及び副開閉部３１Ｓの下端にも同様に連結部材である連結杆３４及び連結杆３７がそれぞれ取り付けられる。なお、上端と異なるのは、形態の異なる下部回転部材４０Ｂが上部回転部材４０Ａに替えて取り付けられることである。
【００３４】
このようにして、図１１（Ｂ）に示すように、主開閉部３１Ｍと副開閉部３１Ｓとを、一方側は中間框５１を介して、他方側は補助連結枠６０及び中間框５１を介して、一体に結合することにより、シャッタ本体３０が構成される。また、このシャッタ本体３０の両端部側には、つまり、各副開閉部３１Ｓの外側には端部框５２も取り付けられている。
【００３５】
なお、このシャッタ本体３０は予め一体に組み付けたユニットとして工場で量産することができる。従来のようにＸ字形の伸縮部材を別途形成することなく、連結杆３４、３７を用いてシャッタ本体３０を容易に形成できるので、従来に比して生産が容易となり、かつ、コストの低減を図ることが可能となる。なお、図４に示すシャッタ本体３０は、副開閉部３１Ｓが主開閉部３１Ｍの左右両側に連結されたものであるが、本考案では最低限の構成として、副開閉部３１Ｓを主開閉部３１Ｍの左右両端側の少なくともいずれか一方に設けてあればよい。
【００３６】
回転部材４０は、上部枠２０Ａ及び下部枠２０Ｂにそれぞれ設けてあるガイドレールに、シャッタ本体３０側の開閉部３１を構成する各板材(スラット)（主開閉部３１Ｍの場合には各板材３３、副開閉部３１Ｓの場合には各板材３６）の上端部及下端部側を、スライド自在に係合させるためのものであり、上部回転部材４０Ａと下部回転部材４０Ｂとで構成されている。以下では、主開閉部３１Ｍについて説明するが、副開閉部３１Ｓでも同様である。
【００３７】
上部回転部材４０Ａは、図１０（Ａ）に示すように、直方体状の支持材４１Ａに水平軸４２Ａを介して取り付けられたベアリングローラ４３Ａから構成されており、支持材４１Ａには段付き孔４１１Ａが上下方向に貫設されている。この場合、水平軸４２Ａは、支持材４１Ａの取付部４１２Ａに対してベアリングローラ４３Ａを螺着しているビスで構成してあるが、これに限定されず、例えば図示を省略したシャフトを用いることができる。
【００３８】
シャフトを用いた場合には、ベアリングローラ４３Ａに替えて円筒状のローラを用いることができる。又、ベアリングローラ４３Ａは、ほこり等の侵入を防ぐシールドタイプのものであって、被覆板４４Ａにより被覆されている内部にはグリースが収容されている。これにより、ベアリングローラ４３Ａが常時円滑に回転し、かつ、長期間の使用に耐え得るように配慮してある。
【００３９】
この上部回転部材４０Ａと共に長連結杆３４Ａの他方の端部を板材３３に取り付けるには、図１０（Ａ）に示すように、支持材４１Ａの段付き孔４１１Ａの下端部にスリーブ４５Ａを嵌合し、このスリーブ４５Ａの突出下端部を長連結杆３４Ａのビス挿通孔３４１に挿通し、段付き孔４１１Ａの上端部からビス４６Ａをスリーブ４５Ａ内に落とし込んで、板材３３のビス受け部３３Ｃにねじ込む。これにより、長連結杆３４Ａは、板材３３に対して堅固に固定されずにスリーブ４５Ａを介して長連結杆３４Ａと板材３３とが相互に回動可能に取り付けられる。
【００４０】
そして、上部回転部材４０Ａの支持材４１Ａもスリーブ４５Ａを介して若干の上下動が可能であり、かつ、支持材４１Ａと板材３３とが相互に回動可能に取り付けられる。なお、上部回転部材４０Ａは、複数の板材３３に対してベアリングローラ４３Ａが交互に相反位置となるように、支持材４１Ａが板材３３にそれぞれ取り付けられる。
【００４１】
図３（Ａ）のように、上部枠２０Ａのガイドレール２３Ａは、支持材４１Ａを摺動させるスリット２２Ａを挟んで平行に２列設けられており、この２列のガイドレール２３Ａに対してベアリングローラ４３Ａが交互に２列に振り分けられて係合し、それぞれガイドレール２３Ａに沿って移動するように構成される(図１参照)。
【００４２】
下部回転部材４０Ｂは、図１０（Ｂ）に示すように、垂直軸４１Ｂを介して取り付けられた円筒状のローラ４２Ｂから構成されており、垂直軸４１Ｂにはビス４１Ｂを用いてあるが、図示を省略したシャフトであってもよい。
【００４３】
この下部回転部材４０Ｂを連結杆３４と共に板材３３に取り付けるには、図１０（Ｂ）に示すように、ローラ４２Ｂにスリーブ４３Ｂを嵌合し、このスリーブ４３Ｂの突出上端部を、例えば長連結杆３４Ａのビス挿通孔３４１に挿通し、板材３３のビス受け部３３Ｃにねじ込む。これにより、長連結杆３４Ａは、板材３３に対して堅固に固定されずにスリーブ４３Ｂを介して長連結杆３４Ａと板材３３とが相互に回動可能に取り付けられる。そして、ローラ４２Ｂはスリーブ４３Ｂを介して回転可能となる。
【００４４】
この下部回転部材４０Ｂは、上部回転部材４０Ａと同様に、一直線状に位置するようにそれぞれ取り付け、図１のように下部枠２０Ｂのスリット２２Ｂ（図３（Ｂ）参照）に沿って移動できるように構成する。
【００４５】
框部材５０は、前述したように、図４において、主開閉部３１Ｍと左右の各副開閉部３１Ｓの間に（但し、主開閉部３１Ｍと右側の副開閉部３１Ｓの間には連結補助枠６０を介在させている）設けた中間框５１と、副開閉部３１Ｓの両端側に設けた端部框５２とで構成されている。
【００４６】
中間框５１は、上下両端部に、開閉部３１と同様、回転部材である前述の上部回転部材４０Ａ及び下部回転部材４０Ｂが設けられており、ガイド室２１Ａ内部のガイドレール２３Ａ及びガイド室２１Ｂ内部のガイドレール２３Ｂに沿って自在にスライド動作できるようになっている（図３参照）。
【００４７】
端部框５２は、外形形状が中間框５１のものと同じ幅寸法（副開閉部３１Ｓのスライド方向に直交する方向での寸法）に形成されており、止め金具（鎌錠）８０の鎌形の係止部が後述の縦枠体７０の受座に固定できるようになっている。そのため、この端部框５２には、止め金具（鎌錠）８０の図示しない錠前本体が内設されている。
【００４８】
連結補助枠６０は、図４又は図７に示すように、開閉動作するシャッタ本体３０の主開閉部３１Ｍと框部材５０の中間框５１との間に隙間が発生するのを防止するものであり、板材３３の一端側のガスケット取付部３３Ｄ（図５（Ａ）参照）を介して主開閉部３１Ｍと回動自在に連結されている。即ち、この連結補助枠６０は、主開閉部３１Ｍの端部(本実施形態では右端部)と、一方側の副開閉部３１Ｓの端部(本実施形態では左端部)に設けた中間框５１と、の間を一体に、かつ、回動自在に連結させており、一端側(本実施形態では最右端側)の主開閉部３１Ｍがほぼ９０度の角度範囲内で開いたり閉じたりする開閉動作を確保している。
【００４９】
本実施形態の補助連結枠６０は、図４に示すように、内設した連結部材６１を介在させることによって、主開閉部３１Ｍの右端部側と、副開閉部３１Ｓの左端部側に設けた中間框５１とに一体に組み付けられている。
【００５０】
縦枠体７０は、図１及び図２に示すように、建物Ｈ内などに設けたガレージＰの、コンクリートの路面Ｒに臨む出入口（開口部）の左右両端部の構造部に対して、上端部から下端部まで縦方向に亘り適宜の手段（例えば、コンクリート用ねじなど）で固着されて取付けられている。この縦枠体７０は、前述したガイドレールを設けている横枠体２０の上部枠２０Ａ及び下部枠２０Ｂよりも幅広寸法に形成されており、後述の止め金具８０の錠前の鎌形の係止部が入り込む図示外の受け座を内設している。
【００５１】
止め金具（ストッパ）８０は、鎌錠で構成されており、図７（Ｂ）に示すように、端部框５２に内設された錠前本体８１と、この錠前本体８１から飛出す鎌形の係止部８１Ａ(図１３参照)が入り込む、縦枠体７０に内設された受座８２と、この鎌錠でのロックおよびロック解除の操作を行うために、錠前本体６１に取付けられたレバー８３とで構成されている。
【００５２】
仮止め具９０は、図１３に示すように、シャッタ本体３０の主開閉部３１Ｍの左右両側に一体に連結された各副開閉部３１Ｓを、それぞれまとめて折畳んだ状態で保持するためのものである。特に、この副開閉部３１Ｓを折畳んで仮止め具９０で仮止めさせた状態で、かつ、止め金具８０で縦枠体７０に止め付けるようにしておけば、主開閉部３１Ｍは強制的に完全に開いた（伸長）状態以外の態様をとることができないので、密閉状態が可能となる。本実施形態の仮止め具９０は、図１３に示すように、縦枠体７０に取付けたフック９１と、端部框５２に形成した係止孔９２とで構成されている。
【００５３】
従って、本実施形態によれば、図２（Ａ）に示すように、ガレージＰの出入口（開口部）の間口幅の略全体を開閉部３１で覆うように広げることにより、雨、風及び光の差し込みをシャットアウトすることができるので、ガレージＰ内部の車などを雨、風、紫外線などから大切に守ることができる。また、外部から人が侵入するのを防止できるので、ガレージ内部の高価な車などを盗難や悪戯から守ることができ、安全性の確保も得られる。
【００５４】
また、框部材５０を左右に適宜スライド移動させることにより、即ち、図２（Ａ）に示す全開（ガレージの閉鎖）状態から、図１１に示すように、左右両側の副開閉部３１Ｓを完全に折畳むとともに、主開閉部３１Ｍを折畳み、かつ、これらの開閉部３１を、例えば図１２（Ａ）に示すように、まとめて左方へ寄せて、左側の端部框５２を左側の縦枠体７０との間で施錠することができる。ここで、この左側の縦枠体７０はガレージ出入口の左側壁面に固着（右側の縦枠体７０も、同じくガレージ出入口の右側壁面に固着）されている。
【００５５】
従って、図１２（Ａ）に示すように、ガレージ出入口の左側にシャッタ本体３０をまとめて寄せることで、出入口を大きく開き、車などをガレージから出入りさせることができるようになる。また、同様の作業を行うことで、同図（Ｂ）に示すように、ガレージ入口の右側にシャッタ本体３０をまとめて寄せることで、車などをガレージから容易に出入りさせることができるようにもなる。
【００５６】
さらに、本実施形態によれば、ここでのガレージが例えば２台の車を横に並べて駐車可能な間口の広い大型ガレージの場合には、シャッタ装置を半分だけ折り畳んで閉じることで、いずれか１台分の車の出入りを行うこともできる。
即ち、ガレージの間口に合わせて本実施形態のシャッタ装置にも幅広いものを用いるようにすれば、左右両側の縦枠体７０との間で施錠されている左右の端部框５２のうち、出入りさせたい方に対応する、左右いずれか一方の止め金具８０を解錠させる。また、副開閉部３１Ｓが仮止め具９０に係止されて折畳まれた状態であった場合には、同時に、仮止め具９０での係止状態を開放させる。
これによって、その解錠された方の端部框５２をガレージ入口の中央部へ引き寄せることで、主開閉部３１Ｍを折畳んでガレージ入口の何れか半分を開放させ、この開放させた方側の入口部分から車を自由に出入りさせることができる。
【００５７】
また、本実施形態では、上述したように、ガレージＰの出入口（開口部）の全体を覆うようにシャッタ本体３０を広げることにより、図２（Ａ）に示すように、雨、風及び光の差し込みをシャットアウトできるので、ガレージＰ内部の車などを雨、風、紫外線などから大切に守ることができる。この状態から、止め金具８０を解錠するとともに、仮止め具９０で係止させて副開閉部３１Ｓが折畳まれた状態を開放する。その後、同図（Ｂ）に示すように、一方（同図では左側）の副開閉部３１Ｓを完全に折畳んでいた状態から所定方向（同図では右方）に押し出して開放させる。
【００５８】
これに連動して、左右の中間框５１のうち左側の中間框５１及び主開閉部３１Ｍも引き連られて右方へ若干移動する。これによって、副開閉部３１Ｍ及び主開閉部３１Ｍの各板材３３間には隙間α、βが形成される（図２（Ｂ）参照）。
その結果、その隙間α、βを介して、ガレージの内外を風が抜けるとともに、外光をガレージ内部に取り込ませることができる。
【００５９】
なお、本考案は、上記の実施形態に限定されるものではなく、各種の態様が適用可能である。即ち、例えば、図１４に示すように、ガイドレールを内設した横枠体の上部枠２０Ａを、上部構造部である建物Ｈの庇の壁面などに固設するような構成であってもよい。
【００６０】
また、本実施形態の開閉部３１では、一体の主開閉部３１Ｍとこの両側にそれぞれ一体設けた副開閉部３１Ｓとからなる構成としたが、本考案ではそれぞれ少なくともこれらは一体ずつ有する構成であればよく、所要の機能を奏することができる。勿論、大型のシャッタ装置を構成する場合には、これらを２体以上、例えば、両側の縦枠体７０の間に、副開閉部、主開閉部、副開閉部、主開閉部、副開閉部の順で連設させたり、さらにこれに、主開閉部と副開閉部との組み合わせを何組か追加して連設させる、といった構成であっても可能である。
【００６１】
また、本実施形態では、ガレージのシャッタ装置として適用させたが、これ以外に、例えば店舗の出入口でのシャッタ装置、住宅などの玄関用、或いは住宅などの窓での防犯用の格子の代替手段等として適用することが可能である。
即ち、このシャッタ装置を店舗の出入口でのシャッタ装置、住宅などの玄関用、或いは住宅などの窓での防犯用の格子代わり等として適用させれば、ガレージの場合と同様の効果が得られる。例えば、店舗の出入口にこのシャッタ装置を設置すれば、昼休みなどの場合には、店舗を開いた状態のままシャッタ装置だけ閉じるようにしておくことで、出入口前にお客が開店待ちで並んでいても、お客の視線を気にすることなく自由に休憩したり次の準備作業などを行うこともできる。
【００６２】
また、例えば住宅の玄関の扉の代わりにこのシャッタ装置を適用すれば、前述したガレージの場合と同様、玄関は閉じた状態のまま、風や光の通過量を自由に調整することができる。従って、夏などには風を室内まで取り込ませることで、風があるときにはエアコンなどを用いなくても涼しく過ごすことが可能となる。また、光を玄関内部に取り込ませることで、玄関を閉じた状態のまま、玄関内部を明るく保つこともできるようになる。さらに、窓にこのシャッタ装置を設置すれば、窓からの人の侵入を防止できるので防犯上有効であるとともに、シャッタ装置を閉じた状態のまま隙間α、βが形成されるようにすれば、室内に風や光を取り込ませることができるので、カビなどの発生を防止することができるとともに室内を明るく保つこともできる。また、勿論、逆に、夏の強い日差しや西日対策としても有効である。
【産業上の利用可能性】
【００６３】
本考案に係るシャッタ装置は、他人がガレージへ侵入して駐車中の車などの盗難や悪戯などが発生するのを阻止して安全性を高めることができるのと同時に、光や風を自由に通すことによってガレージ内部を衛生的に保つこともできるものであって、特に戸建て住宅やマンション等の集合住宅のガレージなどに設置して美観を高めるのにも好適である。
【００６４】
さらに、本考案に係るシャッタ装置は、ガレージなどへの適用以外でも、例えば、店舗の出入口、住宅の玄関或いは窓などに適用することで、閉鎖して他人の侵入による盗難や強盗などの犯罪の発生を未然に防止できるのと同時に、必要に応じて光や風を自由に通すことによって店舗内部、住宅の玄関や室内などを衛生的に保つことが可能となり、しかも外観を良好な状態に保つのにも好適である。
【符号の説明】
【００６５】
１０    シャッタ装置
２０    横枠体
２０Ａ    上部枠
２０Ｂ    下部枠
３０    シャッタ本体
３１Ｍ    主開閉部
３１Ｓ    副開閉部
３３    板材（スラット）
３４    連結杆
４０    回転部材
４０Ａ    上部回転部材
４０Ｂ    下部回転部材
４１Ａ    支持材
５０    框部材
５１    中間框
５２    端部框
６０    連結補助枠
７０    縦枠体
８０    止め金具（鎌錠）
９０    仮止め具（フック）
α    隙間
β    隙間
【図１】
0003156357.tif 000003
【図２】
0003156357.tif 000004
【図３】
0003156357.tif 000005
【図４】
0003156357.tif 000006
【図５】
0003156357.tif 000007
【図６】
0003156357.tif 000008
【図７】
0003156357.tif 000009
【図８】
0003156357.tif 000010
【図９】
0003156357.tif 000011
【図１０】
0003156357.tif 000012
【図１１】
0003156357.tif 000013
【図１２】
0003156357.tif 000014
【図１３】
0003156357.tif 000015
【図１４】
0003156357.tif 000016
【図１５】
0003156357.tif 000017